(57)【要約】 【課題】  情報の記録時における記録層の未記録領域への参照光の入射を防止して、情報の再生時におけるノイズの低減を図り、情報の高密度記録に適したホログラムの記録再生方法およびホログラムメモリ媒体を提供することを目的とする。【解決手段】  ホログラム記録層に入射領域を制限する光束制限部材を設けて、参照光のホログラム記録層への入射を制限することにより、情報の記録時における記録層の未記録領域への参照光の入射を防止して、情報の再生時におけるノイズの低減を図り、情報の高密度記録に適したホログラムの記録再生方法およびホログラムメモリ媒体を提供する。【選択図】  図４
2006047553.tif 000002
【特許請求の範囲】
【請求項１】
屈折率の低いクラッド層に挟まれ光を導波するコア層と、該クラッド層とコア層との境界あるいは該コア層内に設けられた回折格子層とを有する光導波路層と、該光導波路層の外側に該光導波路層を介して参照光が入射可能に配置したホログラム記録層とからなり、前記光導波路層が複数積層され、該ホログラム記録層と略直交する方向から物体光を前記記録層近傍に集光して照射するとともに、前記積層された光導波路層内の前記コア層の１つに前記参照光を入射させ、該参照光を前記回折格子層により回折して前記記録層に照射することにより情報をホログラムとして記録し、さらに、該記録されたホログラムに前記参照光を照射することにより得られる回折光を対物レンズを介して受光して情報を再生するホログラム記録媒体であって、
前記ホログラム記録層と前記光導波路層との間に光束制限部材を一体的に設けたことを特徴とするホログラムメモリ媒体。
【請求項２】
屈折率の低いクラッド層に挟まれ光を導波するコア層と、該クラッド層とコア層との境界あるいは該コア層内に設けられた回折格子層とを有する光導波路層と、該光導波路層の外側に該光導波路層を介して参照光が入射可能に配置したホログラム記録層とからなり、前記光導波路層が複数積層され、該ホログラム記録層と略直交する方向から物体光を前記記録層近傍に集光して照射するとともに、前記積層された光導波路層内の前記コア層の１つに前記参照光を入射させ、該参照光を前記回折格子層により回折して前記記録層に照射することにより情報をホログラムとして記録し、さらに、該記録されたホログラムに前記参照光を照射することにより得られる回折光を対物レンズを介して受光して情報を再生するホログラム記録媒体であって、
前記ホログラム記録層と前記光導波路層との間に光束制限部材を設け、前記ホログラム記録層と前記光導波路層の少なくとも１つが分離可能であることを特徴とするホログラムメモリ媒体。
【請求項３】
屈折率の低いクラッド層に挟まれ光を導波するコア層と、該クラッド層とコア層との境界あるいは該コア層内に設けられた回折格子層とを有する光導波路層と、該光導波路層の外側に該光導波路層を介して参照光が入射可能に配置したホログラム記録層とからなり、前記光導波路層が複数積層され、該ホログラム記録層と略直交する方向から物体光を前記記録層近傍に集光して照射するとともに、前記積層された光導波路層内の前記コア層の１つに前記参照光を入射させ、該参照光を前記回折格子層により回折して前記記録層に照射することにより情報をホログラムとして記録し、さらに、該記録されたホログラムに前記参照光を照射することにより得られる回折光を対物レンズを介して受光して情報を再生するホログラム記録媒体であって、
前記ホログラム記録層と前記光導波路層との間に光束制限部材を設け、少なくとも該光束制限部材がホログラム記録再生装置に固定されていることを特徴とするホログラムメモリ媒体。
【請求項４】
前記光導波路層に換えてホログラム情報が記録されたＲＯＭを内蔵する光導波路層を挿入できることを特徴とする請求項１から請求項３のいずれかに記載されたホログラムメモリ媒体。
【請求項５】
前記光束制限部材が振幅マスク型液晶空間光変調器であることを特徴とする請求項１から請求項４のいずれかに記載されたホログラムメモリ媒体。
【発明の詳細な説明】
【技術分野】
【０００１】
本発明は、情報を物体光と参照光とによる干渉縞として記録するホログラムメモリ媒体に関する。
【背景技術】
【０００２】
近年、情報の記録媒体として相変化型や光磁気型などの書き換え可能な光ディスクが、広く普及している。これらの光ディスクは、さらに記録密度を高めるためには、ビームスポット径を小さくして、隣接トラックまたは隣接ビットとの距離を短くするなどの技術が必要である。
【０００３】
このように、光ディスクの高密度化は年々進んでいるが、一方で、上記の光ディスクは面内にデータを記録するため、その記録密度は光の回折限界に制限され、高密度記録の物理的限界に近づいている。したがって、更なる大容量化のためには、奥行き方向を含めた３次元（体積型）の多重記録が必要となる。
【０００４】
そこで、次世代のコンピュータファイルメモリとして、３次元的多重記録に由来する大容量性と２次元一括記録再生方式に由来する高速性とを兼ね備えたホログラムメモリが注目されている。ホログラムメモリは、例えば、フォトポリマーなどを記録材料とする記録層を２枚のガラス板に挟み込んで形成した記録媒体に記録情報に対応する物体光と参照光とを照射し、双方の光により生成される干渉縞を記録材料の屈折率の変化として記録するものであり、情報の再生時には、記録された干渉縞に対し参照光のみを照射し、記録情報に対応する光学情報を抽出するものである。
【０００５】
ホログラムメモリには、キューブ型やカード型等様々な形態のものが提案されているが、例えば、カード型に関するものとしては、導波路を形成した記録層を多層化して、記録容量の増大を図ったホログラムメモリが知られており、このホログラムメモリに情報を記録する方法としては、例えば、特許文献１に記載された方法が知られている。
【特許文献１】特開２０００−４４３４号公報
【発明の開示】
【発明が解決しようとする課題】
【０００６】
特許文献１に記載された発明は、物体光と参照光とを用いてホログラムメモリ媒体に情報を角度多重記録する場合に、従来の方法では、情報の記録及び再生時に、参照光をホログラムメモリ媒体の記録層に対して、高精度の入射角度で入射させる必要があるために、ミラー等の光学素子を高精度に制御する必要があり、結果的に、機構系が大型でかつ高価なものになってしまうという問題に鑑み、屈折率のより低い部分にそれぞれ挟まれて光を導波する少なくとも１つのコア層と、コア層と屈折率のより低い部分との境界もしくはコア層内に設けた少なくとも１つの回折格子層とを有する光導波路と、光導波路の外側に、参照光が光導波路を介して入射可能なように配置される少なくとも１つの記録層とを有するホログラムメモリ媒体において、記録層中の少なくとも１つの小領域に前記物体光を集光して入射し、参照光を、小領域が照射されるように入射するホログラム記録方法が開示されている。
【０００７】
しかし、特許文献１に記載されたホログラム記録方法では、コア層からの回折光を参照光とした場合に、ホログラムメモリ媒体の記録層全体に参照光が照射されてしまう。したがって、ホログラムメモリ媒体の記録層における未記録領域にも参照光が入射することになり、記録層の未記録領域が感光することにより、情報の記録が行えなくなる可能性がある。また、仮に、情報の記録が行えたとしても記録品質に問題を生じる恐れもある。さらに、再生光を検出する光検出器に参照光が入射する可能性があり、この場合には、入射する参照光がノイズとなって正確な情報再生が行えないという問題がある。さらに、特許文献１に記載されたホログラム記録方法では、ホログラムメモリ媒体の回折格子層と記録層とを分離することができないため、コスト面での問題がある。また、ホログラムメモリ媒体の回折格子層と記録層とを分離することができないため、回折格子層に光を入射することにより、第三者が容易にデータの再生を行うことも可能であることからセキュリティ上の問題もある。
【０００８】
そこで、本発明は、上述の問題点に鑑みてなされたものであり、情報の記録時における記録層の未記録領域への参照光の入射を防止して、情報の再生時におけるノイズの低減を図るとともに、安価でデータの漏洩を効果的に防止することが可能なホログラムメモリ媒体を提供することを目的とする。
【課題を解決するための手段】
【０００９】
上記の課題を解決するために、本発明は以下の事項を提案している。
請求項１に係る発明は、屈折率の低いクラッド層に挟まれ光を導波するコア層と、該クラッド層とコア層との境界あるいは該コア層内に設けられた回折格子層とを有する光導波路層と、該光導波路層の外側に該光導波路層を介して参照光が入射可能に配置したホログラム記録層とからなり、前記光導波路層が複数積層され、該ホログラム記録層と略直交する方向から物体光を前記記録層近傍に集光して照射するとともに、前記積層された光導波路層内の前記コア層の１つに前記参照光を入射させ、該参照光を前記回折格子層により回折して前記記録層に照射することにより情報をホログラムとして記録し、さらに、該記録されたホログラムに前記参照光を照射することにより得られる回折光を対物レンズを介して受光して情報を再生するホログラム記録媒体であって、前記ホログラム記録層と前記光導波路層との間に光束制限部材を一体的に設けたことを特徴とするホログラムメモリ媒体を提案している。
【００１０】
この発明によれば、ホログラム記録層と光導波路層およびこれらの間に配置された光束制限部材とを一体的に構成したため、ホログラムメモリ媒体の取り扱いが容易になる。また、ホログラム記録層と光導波路層との間に光束制限部材を設けたため、光導波路層において回折される参照光を物体光がホログラム記録媒体の記録層に入射する領域のみに照射することができ、記録層の未記録領域あるいは既記録領域に参照光が入射することを防止できる。  
【００１１】
請求項２に係る発明は、屈折率の低いクラッド層に挟まれ光を導波するコア層と、該クラッド層とコア層との境界あるいは該コア層内に設けられた回折格子層とを有する光導波路層と、該光導波路層の外側に該光導波路層を介して参照光が入射可能に配置したホログラム記録層とからなり、前記光導波路層が複数積層され、該ホログラム記録層と略直交する方向から物体光を前記記録層近傍に集光して照射するとともに、前記積層された光導波路層内の前記コア層の１つに前記参照光を入射させ、該参照光を前記回折格子層により回折して前記記録層に照射することにより情報をホログラムとして記録し、さらに、該記録されたホログラムに前記参照光を照射することにより得られる回折光を対物レンズを介して受光して情報を再生するホログラム記録媒体であって、前記ホログラム記録層と前記光導波路層との間に光束制限部材を設け、前記ホログラム記録層と前記光導波路層の少なくとも１つが分離可能であることを特徴とするホログラムメモリ媒体を提案している。
【００１２】
この発明によれば、ホログラム記録層と光導波路層の少なくとも１つが分離可能な構成となっているため、例えば、ホログラム記録層のみを交換することにより、情報の記録再生を行うことができる。また、記録データを再生するときには、記録時に照射した参照光が必要であることから、光導波路層を分離可能な構成とすれば、ホログラム記録層のデータ再生することを防止することができる。また、光導波路層を分離可能な構成とすれば、例えば、回折格子の異なる光導波路層を挿入することにより、同一のホログラム記録層に新たな情報を多重記録することができる。また、ホログラム記録層と光導波路層とを一体で分離可能な構成とすれば、記録再生時のホログラム記録層と光導波路層と位置関係を固定できるため、新たな位置調整の必要がない。
【００１３】
請求項３に係る発明は、屈折率の低いクラッド層に挟まれ光を導波するコア層と、該クラッド層とコア層との境界あるいは該コア層内に設けられた回折格子層とを有する光導波路層と、該光導波路層の外側に該光導波路層を介して参照光が入射可能に配置したホログラム記録層とからなり、前記光導波路層が複数積層され、該ホログラム記録層と略直交する方向から物体光を前記記録層近傍に集光して照射するとともに、前記積層された光導波路層内の前記コア層の１つに前記参照光を入射させ、該参照光を前記回折格子層により回折して前記記録層に照射することにより情報をホログラムとして記録し、さらに、該記録されたホログラムに前記参照光を照射することにより得られる回折光を対物レンズを介して受光して情報を再生するホログラム記録媒体であって、前記ホログラム記録層と前記光導波路層との間に光束制限部材を設け、少なくとも該光束制限部材がホログラム記録再生装置に固定されていることを特徴とするホログラムメモリ媒体を提案している。
【００１４】
この発明によれば、例えば、ホログラム記録層と光束制限部材とをホログラム記録再生装置に固定する構成とすれば、ホログラム記録層のデータ再生することを防止することができる。また、ホログラム記録層と光束制限部材とをホログラム記録再生装置に固定する構成とすれば、例えば、回折格子の異なる光導波路層を挿入することにより、同一のホログラム記録層に新たな情報を多重記録することができる。また、ホログラム記録層と光導波路層とを一体で分離可能な構成とすれば、記録再生時のホログラム記録層と光導波路層と位置関係を固定できるため、新たな位置調整の必要がない。
【００１５】
請求項４に係る発明は、請求項１から請求項３のいずれかに記載されたホログラムメモリ媒体について、前記光導波路層に換えてホログラム情報が記録されたＲＯＭを内蔵する光導波路層を挿入できることを特徴とするホログラムメモリ媒体を提案している。
【００１６】
この発明によれば、ホログラム記録層と光導波路層とを分離して、光導波路層の位置に情報が記録されたＲＯＭを内蔵する光導波路層を挿入することにより、再生時に生じる多重された複数の再生光を光束制限部材によって選択的に透過させて情報の再生を行うことができる。
【００１７】
請求項５に係る発明は、請求項１から請求項４のいずれかに記載されたホログラムメモリ媒体について、前記光束制限部材が振幅マスク型液晶空間光変調器であることを特徴とするホログラムメモリ媒体を提案している。
この発明によれば、光束制限部材を振幅マスク型液晶空間光変調器としたため、光を透過させたい領域のピクセルだけを透過状態とすることにより、ホログラムメモリ媒体の微小領域を瞬時に選択的に照射することができる。
【発明の効果】
【００１８】
本発明によれば、光束制御部材により、ホログラムメモリ媒体に情報を記録する際に、参照光の未記録領域への入射を防止することができる。そのため、参照光が未記録領域へ入射することにより情報の記録が行えなくなるといった問題を回避できるという効果がある。
また、本発明によれば、ホログラム記録層と光導波路層の少なくとも１つが分離可能な構成であるため、ホログラム記録媒体を安価にすることができるという効果がある。
また、本発明によれば、ホログラム記録層と光導波路層の少なくとも１つが分離可能な構成であるため、第三者が容易にデータの再生を行うことを防止して、データの秘密保持を図ることができるという効果がある。
さらに、本発明によれば、ホログラム記録層と光導波路層とを分離して、光導波路層の位置に情報が記録されたＲＯＭを内蔵する光導波路層を挿入できるため、光導波路層を積層したカード型ＲＯＭ媒体との再生互換が可能なカード型ホログラムメモリ媒体を提供できるという効果がある。
【発明を実施するための最良の形態】
【００１９】
以下、本発明の実施形態に係るホログラムメモリ媒体について図１から図１３を参照して詳細に説明する。
【００２０】
図１は、本発明のホログラムメモリ媒体に情報を記録する一般的な方法を例示したものであり、ホログラムメモリ媒体を物体光の光軸８を含む面で切った断面図である。
図１に示すように、ホログラムメモリ媒体１００は、クラッド層１とコア層２およびクラッド層１とコア層２の境界に形成された回折格子３よりなる光導波路を複数積層して構成される光導波路層１０１と、ホログラム記録層４と、参照光光束制限部材５とから構成されている。
【００２１】
２次元情報を含む物体光６は、記録用対物レンズ７により集光された後、ホログラムメモリ媒体のホログラム記録層４の近傍に照射される。一方、参照光９は、集光レンズ１０により、コア層２のうち選択された１のコア層２に入射し、コア層２内の回折格子３で回折された後、参照光１２として、物体光６のホログラム記録層４上における照射領域を含んだ領域に照射される。
【００２２】
なお、参照光１２は、コア層２内の回折格子３で回折された参照光のうち参照光光束制限部材５の開口部１１を通過し、ホログラム記録層４上に照射される物体光近傍を通る光である。こうして照射された物体光６と参照光１２は、ホログラム記録層４内の重なり合う領域において干渉し、その干渉パターンがホログラム１３としてホログラム記録層に３次元的に記録される。
【００２３】
図２は、ホログラムメモリ媒体１００をホログラム記録層４側から見た上面図である。なお、参照光光束制限部材５の開口部１１が分かるように、ホログラム記録層４を透明にしている。図２に示すように、本発明のホログラムメモリ媒体１００は、ホログラム記録層４と光導波路層１０１との間に、ホログラム記録層４の物体光照射領域１４付近にのみ参照光が入射するような開口部１１を設けた。これにより、物体光６が照射されない非記録領域への参照光の入射が遮断されるため、参照光が情報の記録再生時に、ホログラム記録層４の記録領域以外の部分にも照射され、参照光の強度や照射回数により、ホログラム記録層４を構成する記録材料が感光されてしまい、その領域への情報の記録が不可能になったり、また、他の記録領域に記録された情報が消去されてしまうなどの問題を回避することができる。
【００２４】
なお、光束制限部材５は、ホログラム記録層４の有効記録領域をカバーするような外形を有し、その内部に物体光照射領域１４よりもやや大きい開口部１１を設けた構造になっている。なお、開口部１１の形状は、物体光照射領域１４よりもやや大きいものであれば、角型、丸型、三角等であてもよい。
【００２５】
次に、図３を用いて、ホログラム情報の再生方法について説明する。
図３に示すように、ホログラム情報の再生時には、参照光９が集光レンズ１０により集光され、ある特定のコア層２に入射する。コア層２内の回折格子３でホログラム記録層４方向に回折された光は、光束制限部材５の開口部１１で光束が制限され、光束制限部材５の開口部１１を通過した参照光１２がホログラム記録層４上に記録されたホログラム１３に照射される。そして、ホログラム記録層４上に記録されたホログラム１３で回折した再生光１５は、再生光学系１６に入射してデータが再生される。
【００２６】
図４は、本発明の一実施形態であるホログラムメモリ媒体を示している。図４に示すように、本実施形態に係るホログラムメモリ媒体は、ホログラムメモリ媒体１００を構成するホログラム記録層４と参照光光束制限部材５と光導波路層１０１とが保持部材２０により一体となるように構成されている。したがって、ホログラムメモリ媒体１００への情報の記録や再生は、この一体となったホログラムメモリ媒体１００をホログラム記録再生装置３０に挿入することにより行われる。
【００２７】
図５は、ホログラム記録層４のみが保持部材２０から着脱可能に構成されたホログラムメモリ媒体を示している。ホログラムメモリ媒体をこうした構成にすることにより、ホログラム記録層のみを交換することにより、情報の記録再生を行うことができる。また、図６は、光導波路層１０１のみが保持部材２０から着脱可能に構成されたホログラムメモリ媒体を示している。ホログラムメモリ媒体をこうした構成にすることにより、記録データの再生に必要な参照光を得ることができなくなるため、第三者が勝手にホログラム記録層のデータ再生を行うことを防止することができる。また、例えば、回折格子の異なる光導波路層を挿入することにより、同一のホログラム記録層に新たな情報を多重記録することができる。
【００２８】
また、図７は、参照光光束制限部材５のみが保持部材２０に保持され、ホログラム記録層４と光導波路層１０１とが連結部材２１で連結されるとともに、連結されるホログラム記録層４と光導波路層１０１とが保持部材２０から着脱可能に構成されたホログラムメモリ媒体を示している。ホログラムメモリ媒体をこうした構成にすることにより、記録再生時のホログラム記録層と光導波路層と位置関係を固定できるため、新たな位置調整の必要がない。
【００２９】
図８は、光導波路層１０１と参照光光束制限部材５とがホログラム記録再生装置３０内に固定され、ホログラム記録再生装置３０にホログラム記録層４を挿入してデータの記録および再生を行うホログラムメモリ媒体を示している。ホログラムメモリ媒体をこうした構成にすることにより、ホログラム記録層のみを交換することにより、情報の記録再生を行うことができる。図９は、ホログラム記録層４と参照光光束制限部材５とがホログラム記録再生装置３０内に固定され、ホログラム記録再生装置３０に光導波路層１０１を挿入してデータの記録および再生を行うホログラムメモリ媒体を示している。ホログラムメモリ媒体をこうした構成にすることにより、記録データの再生に必要な参照光を得ることができなくなるため、第三者が勝手にホログラム記録層のデータ再生を行うことを防止することができる。また、例えば、回折格子の異なる光導波路層を挿入することにより、同一のホログラム記録層に新たな情報を多重記録することができる。
【００３０】
図１０は、参照光光束制限部材５のみがホログラム記録再生装置３０に固定されており、ホログラム記録層４と光導波路層１０１とが連結部材２２で連結され、この連結部材２２で連結されているホログラム記録層４と光導波路層１０１とをホログラム記録再生装置３０に挿入してデータの記録および再生を行うホログラムメモリ媒体を示している。ホログラムメモリ媒体をこうした構成にすることにより、記録再生時のホログラム記録層と光導波路層と位置関係を固定できるため、新たな位置調整の必要がない。
【００３１】
図１１および図１２は、他の実施形態を示している。
図１１は、光導波路層１０３と、参照光光束制限部材５とから構成されるホログラムメモリ媒体を示している。ここで、光導波路層１０３は、クラッド層１とコア層２およびクラッド層１とコア層２の境界に形成された回折格子３よりなる光導波路を複数積層して構成され、各導波路層には、複数のデータが多重記録されている、いわゆるホログラム記録を利用したＲＯＭ媒体となっている。このホログラムメモリ媒体からデータを再生する場合には、１つのコア層２に参照光を入射させる。こうすることにより、ホログラム記録層４に多重記録されたデータからの再生光が光導波路層１０３の上方に回折され、この再生光を再生光学系に入射させることによりデータの再生を行う。なお、本実施形態の光導波路層１０３は、記録型ホログラム記録媒体の光導波路層１０１と同様の構成となっている。
【００３２】
具体的なデータ再生方法は、図１２に示すように、ホログラムメモリ媒体１００の保持部材２０からホログラム記録層４と光導波路層１０１とを取り外し、光導波路層１０１の代わりに、上記の光導波路層１０３を保持部材２０に取り付け、これをホログラム記録再生装置３０に挿入する。そして、ある特定のコア層２に参照光１８を入射させる。そうすると、ホログラム記録層４に多重記録されたデータからの複数の再生光が光導波路層１０３の上方に回折され、この複数の再生光のうち参照光光束制限部材５により選択されたデータ光１７が再生光学系１６に入射してデータの再生が行われる。
【００３３】
なお、図８乃至図１０に示した参照光光束制限部材５がホログラム記録再生装置３０に固定されている場合は、ホログラム記録層４と光導波路層１０１とを取り外し、光導波路層１０１が挿入されていた部位に光導波路層１０３であるＲＯＭ媒体を挿入することにより、同様の再生動作を実現することができる。
【００３４】
また、参照光光束制限部材５として、図１３に示すような振幅マスク型液晶空間光変調器を用いることもできる。この振幅マスク型液晶空間光変調器は、図１３に示すように、所定のピクセル（図１３の１１−１、１１−２）を透過状態とすることにより開口部を形成することができる。したがって、参照光光束制限部材５を振幅マスク型液晶空間光変調器とすることにより、ホログラムメモリ媒体の微小領域を瞬時にかつ選択的に照射することができる。
【００３５】
以上、図面を参照して本発明の実施形態について詳述してきたが、具体的な構成はこれらの実施形態に限られるものではなく、この発明の要旨を逸脱しない範囲の設計変更等も含まれる。
【図面の簡単な説明】
【００３６】
【図１】ホログラムメモリ媒体を物体光の光軸を含む面で切った断面図である。
【図２】ホログラムメモリ媒体をホログラム記録層側から見た上面図である。
【図３】ホログラムの再生方法を示す図である。
【図４】保持部材を有するホログラムメモリ媒体の構成図である。
【図５】保持部材を有するホログラムメモリ媒体の構成図である。
【図６】保持部材を有するホログラムメモリ媒体の構成図である。
【図７】保持部材を有するホログラムメモリ媒体の構成図である。
【図８】一部が記録再生装置に固定されたホログラムメモリ媒体の構成図である。
【図９】一部が記録再生装置に固定されたホログラムメモリ媒体の構成図である。
【図１０】一部が記録再生装置に固定されたホログラムメモリ媒体の構成図である。
【図１１】ＲＯＭ媒体を備えたホログラムメモリ媒体の構成図である。
【図１２】ＲＯＭ媒体と保持部材を備えたホログラムメモリ媒体の構成図である。
【図１３】光束制限部材に振幅マスク型液晶空間光変調器を用いた場合を例示した図である。
【符号の説明】
【００３７】
１・・・クラッド層、２・・・コア層、３・・・回折格子、４・・・ホログラム記録層、５・・・参照光光束制限部材、６・・・物体光、７・・・記録用対物レンズ、８・・・光軸、９、１２、１８・・・参照光、１０・・・集光レンズ、１１・・・開口部、１１−１、１１−２・・・透過状態のピクセル、１３・・・ホログラム、１４・・・物体光照射領域、１５・・・再生光、１６・・・再生光学系、１７・・・データ光、２０・・・保持部材、２１・・・連結部材、３０・・・記録再生装置、１００・・・ホログラムメモリ媒体、１０１、１０３・・・光導波路層
【図１】
2006047553.tif 000003
【図２】
2006047553.tif 000004
【図３】
2006047553.tif 000005
【図４】
2006047553.tif 000006
【図５】
2006047553.tif 000007
【図６】
2006047553.tif 000008
【図７】
2006047553.tif 000009
【図８】
2006047553.tif 000010
【図９】
2006047553.tif 000011
【図１０】
2006047553.tif 000012
【図１１】
2006047553.tif 000013
【図１２】
2006047553.tif 000014
【図１３】
2006047553.tif 000015